(57)【特許請求の範囲】
【請求項１】
分離可能なカード（３）を含むフォーム（１）であって、該フォーム裏面の少くとも前記カード（３）に対応する部分上に支持材（２）が接着してあり、該支持材が支持層（２１）と共に前記カード（３）に対する剥離層（２２）を備えており、且つ前記カード（３）が、フォーム前面から前記支持層（２１）にまで達する穴あけによって得られ、前記支持層（２１）によりフォーム（１）上に保持されているブランク体であることから成るフォームにおいて、前記剥離層（２２）は一旦カード（３）をフォーム（１）から剥離した後には接着性を有しないことからなり、
前記支持材（２）には、前記穴あけ方向に向って前記支持層（２１）及び剥離層（２２）の表面側に第一永久接触接着層（２４）及び第一カバー層（２３）が設けてあり、
フォーム表面に、前記カード（３）を覆うように、第二カバー層（４１）及び第三接触接着層（４２）を有するカバー材（４）を接着してあり、
前記カバー層（２３、４１）が薄膜からなり、更に、
前記カバー層（２３、４１）が透明であることからなることを特徴とするフォーム。
【請求項２】
穴あけ方向に向って支持材（２）が最後の一番外側の層として、第一分離層（２５）を有する請求の範囲第１項記載のフォーム。
【請求項３】
穴あけ方向に向って剥離層（２２）が非永久接触接着剤又は剥離剤からなる第一部分層（２２１）及び永久接触接着剤として第二部分層（２２２）を有する請求の範囲第１又は２項記載のフォーム。
【請求項４】
第一部分層（２２１）と第二部分層（２２２）間に補助支持層（２２３）が設けられている請求の範囲第３項記載のフォーム。
【請求項５】
剥離層（２２）と支持層（２１）の間に、第二分離層（２６）が設けられている請求の範囲第１〜４項のいずれか１項記載のフォーム。
【請求項６】
穴あけ方向に向って剥離層（２２）、支持層（２１）及び任意にその他の層（２３、２４）の表面側に、支持材（２）が、第二永久接触接着層（２７）、及びフォーム材からなる層（２８）を有する請求の範囲第１〜５項のいずれか１項記載のフォーム。
【請求項７】
フォーム裏面と支持材（２）の間であって、カード（３）の域を部分的に覆う部分に、支持材（２）に対する分離コーティング（５２）を有する分離紙（５）が挿入されている請求の範囲第１〜４項のいずれか１項記載のフォーム。
【請求項８】
カード（３）の部分の中に、支持材（２）の裏面から剥離層（２１）を通る穴あき部分（６）がある請求の範囲第１〜７項のいずれか１項記載のフォーム。
【請求項９】
第一カバー層（２３）裏面の穴あき部分（６）がつや消し仕上げ（７）になっている請求の範囲第２〜８項のいずれか１項記載のフォーム。
【請求項１０】
カバー材（４）が好ましくはフォーム材からなる層（４３）及び第四永久接触接着層（４４）を有する請求の範囲第１〜９項のいずれか１項記載のフォーム。
【請求項１１】
カバー材（４）が第二カバー層（４１）と第三接触接着層（４２）の間に第三分離層（４３）を有する請求の範囲第１０項記載のフォーム。
【請求項１２】
フォーム表面とカバー材（４）の間であってカード（３）を部分的に覆う部分に、カバー材に対する分離コーティング（５２）を有する分離シート（５）が挿入されている請求の範囲第１０項記載のフォーム。
【請求項１３】
フォーム（１）、カバー層（２３、４１）及び／もしくは支持層（２１）、及び／もしくはコーティング（５２）を有する層（５１）が、紙又は薄膜である請求の範囲第１〜１２項のいずれか１項記載のフォーム。
【請求項１４】
カバー層（２３、４１）及び／もしくは支持層（２１）が透明である請求の範囲第２〜１３項のいずれか１項記載のフォーム。
【請求項１５】
穴あけ（３１〜３４）が、穴あけブリッジを残さない全周的に行われている請求の範囲第１〜１４項のいずれか１項記載のフォーム。
【請求項１６】
カード（３）の分離を助けるために、カードに隣接した部分にカードの構造に対応するブランク体（８１）を穴あけし、フォーム（１）から取り除くようにする請求の範囲第１〜１５項のいずれか１項記載のフォーム。
【請求項１７】
表面と裏面とを有し且つ分離可能なカード（３）を含むフォーム（１）の前記裏面の少なくとも前記カード（３）に対応する部分上に接着して用いるための支持材（２）において、以下の順序で積層した層、即ち、前記カード（３）を添着するための第一永久接触接着層（２４）、前記カード（３）を覆う第一透明カバー層（２３）、前記カード（３）に対する剥離層（２２）、支持層（２１）、分離層（２５）を含み、
前記支持材（２）は、前記フォーム（１）に接着する前はロール状であり、ロール状に巻上げた時に前記分離層（２５）が前記第一永久接触接着層（２４）と接触して前記支持材（２）をロール状に維持できるようになっていることを特徴とする支持材。
【請求項１８】
表面と裏面とを有し且つ分離可能なカード（３）を含むフォーム（１）の前記裏面の少なくとも前記カード（３）に対応する部分上に接着して用いるための支持材（２）において、以下の順序で積層した層、即ち、前記カード（３）を添着するための第一永久接触接着層（２４）、前記カード（３）を覆う第一透明カバー層（２３）、前記カード（３）に対する剥離層（２２）、支持層（２１）、を含み、
前記支持材（２）は、前記フォーム（１）に接着する前はロール状であり、剥離層あるいは分離層を含んで成り、ロール状に巻上げた時に前記剥離層あるいは分離層が前記第一永久接触接着層（２４）と接触して前記支持材（２）をロール状に維持できるようになっていることを特徴とする支持材。
【請求項１９】
請求の範囲第１０〜１６項のいずれか１項記載のカバー材（４）。
【請求項２０】
分離可能なカード（３）を有するフォーム（１）の製造方法において、一旦前記フォーム（１）から剥がした後は接着性を失う剥離層（２２）を前記カード（３）に対して設けた支持材（２）を前記フォーム（１）の裏面上に接着し、次いで、フォームの表面側から少なくとも前記支持材（２）の内部まで部分的に達する穴あけを行うことを特徴とする製造方法。
【請求項２１】
前記支持材（２）が、以下の順序で積層した層、即ち、前記カード（３）を添着するための第一永久接触接着層（２４）、前記カード（３）を覆う第一透明カバー層（２３）、前記カード（３）に対する剥離層（２２）、支持層（２１）、を含むことを特徴とする請求の範囲第２０記載の製造方法。
【請求項２２】
穴あけの前にフォーム表面にカバー材（４）を接着させ、次いでカバー材中にまで穴あけを行う請求の範囲第２０項記載の製造方法。
【請求項２３】
フォーム材からなる永久接触接着層（２８）、自己支持層（４３）を隣接ウェブ（１４）としてフォーム（１）と共に印刷する請求の範囲第２０又は２２項記載の製造方法。
【発明の詳細な説明】
技術分野
本発明は、分離可能なカードを有するフォーム（ｆｏｒｍ）に関し、更に詳しくは、フォーム裏面の少くともカードに対応する域の一部に支持材が接着されており、支持材が支持層と共にカードに対して剥離できる剥離層を有する業務用フォームに関する。“カードに対して剥離できる剥離層”なる用語は、一方で支持層に対しては永久的な接着作用をするが、カードに対しては永久的な接着作用をせず、従ってカード上に残ることなくカードを剥離させることができる層を示す。接着作用とは、結合された二つの層の一方が他方に損傷を与えることなしには、他方から容易に分離できない作用を指す。
本発明は更に、上記のようなフォームの支持材とカバー材、及びその製造方法に関する。
分離可能なカードを有するフォームは、会社等の組織体により購読予約を求め、同時に各宛人あるいは受信人に会員証や身分証明書などのカードを提供するためなどに、だんだん用いられてくるようになってきた。
背景従来
従来、公知である分離可能なカードを有するフォームは、カバー層がフォームシートの両面に接着しており、カードがシートのすべての層を通るよう穴あけ（ｐｕｎｃｈｉｎｇ）することにより製造される。穴あけブリッジ（ｐｕｎｃｈｉｎｇ  ｂｒｉｄｇｅｓ；連絡部分）が残されており、それにより、カードはフォームから落ちることがない。カバー層には透明薄膜が使用され、そのため、フォーム上のカードの表示を見ることができる。カバー層はこの表示を保護し、平滑で撥水性である面をカバー上に形成し、カバーを補強する。しかし公知フォームにおける穴あけブリッジには問題点がある。分離したカードに対し光学的及び触覚的に不都合な効果を与え、カードを分離する際には引き破る危険がある。カードを分離した後には、穴がフォームに残る。
ヨーロッパ特許公報第６１３７９２−Ａ１号は上記種類のフォームを開示しており、これによればカードは、フォームに大きな穴あけ工程を施し、剥離剤を有する担持材料をフォーム裏面に適用し、別に製造したカードを穴に挿入する別々の工程により得られる。製造及び位置決めに誤差が生じるため、カードの外周とあけられた穴の内周との間にある程度の間隔がなければならない。カードをフォームと別に製造し、フォームシートの穴に位置ぎめする操作は相当に複雑である。
発明の開示
本発明の課題は、分離可能なフォームであって、上述問題点がなく、しかもカードが従来のものと同様容易に分離でき、それまではフォームに強固に保持されているフォームを提供することである。本発明はまた、そのために適切である支持材とカバー材、及び製造方法を提供することもその課題とする。
本発明によればこの課題は、上述種類のフォームであって、請求の範囲第１項に記載されているように、カードがフォーム前面から支持層にまで達する穴あけにより得られるブランク体であり、支持層によりフォーム中に保持されるよう構成することにより解決される。
支持材は請求の範囲第１９〜２１項に、カバー材は請求の範囲第２２項に記載する特徴を有する。請求の範囲第２３〜２６項は本発明による製造方法にかかわる。本発明フォームの応用例は従属請求項に記載される特徴を有する。
【図面の簡単な説明】
第１図は、そのａ）及びｂ）が本発明によるフォームシートの第一の、もっとも単純な例を説明する断面図である。
第２図は、ａ）及びｂ）が第一例に対しカバー層を加えた例を示す断面図である。
第３図は、ａ）及びｂ）が特別に形成した剥離層を有する例を示す断面図である。
第４図は、ａ）〜ｄ）が自己接着性を有するカードの例を示す断面図である。
第５図は、ａ）〜ｄ）が別の自己接着性を有するカードの例を示す断面図である。
第６図は、ａ）及びｂ）が二重層を有するフォームの例を示す断面図である。
第７図は、フォームシート及び第６図の二重層が、同じ操作でどのように印刷されるかを図示的に説明する平面図である。
第８図は、ａ）〜ｄ）がビネットの形で使用できる例を示す断面図である。
第９図は、ａ）及びｂ）とｄ）〜ｆ）に示す断面図、及びｃ）に示す平面図が、分離層を取り去った後、カードが再接着される例を示す。
第１０図は、ａ）及びｂ）が第９図と同様な例を示す断面図である。
第１１図は、ａ）及びｂ）が第１図の例と同様であるがカード裏面が穴あけされている例の断面図である。
第１２図は、ａ）及びｂ）が図２の例と同様であるがカード裏面が穴あけされている例の断面図である。
第１３図は、カード取りはがしの助けとなる穴あき部分を示す例の平面図である。
発明を実施するための最良の形態
第１図において符号１はフォームシート（ｆｏｒｍ  ｓｈｅｅｔ）であり、例えば紙から製造され、その片面あるいは両面に任意の情報、模様等を印刷することができる。２は好ましくは矩形の支持材であり、支持層２１と剥離層２２とからなる。支持層２１は剥離層２２によりフォーム裏面に接着している。
第１図ａ）の矢印３１、３２に示されるように、穴あけは全周的に、即ちブリッジのないように、フォームシート１、剥離層２２を通り、支持層２１にまで達するように行われる。支持層２１もある程度穴あけされるとしても、その支持特性が失われないならば、不都合ではない。
このように好ましくは全周穴あけがされるため、フォームシート１からブランク体あるいはカード３が切り込みされると、カードはシート１におけるカード周囲とは別であるが、穴あけされていない支持層２１によりフォームシート１に保持されている。
剥離層２２は、カード３が十分強固にフォームシート１に保持されるよう、即ちフォームシートの処理中あるいは自動的な処理中にシート１から早すぎて剥離することのないよう、他方で必要な時にシートから分離させることができる程度に、調整して設けられている。カードをシートから離す時には、剥離層は支持層２１に完全に残っていなければならない。かくして、自己接着性ラベルの場合に生じる事態と異なり、カード３と共に剥離されるようであってはならない。従って、剥離層２２は支持層２１に対しては永久接着作用を果す一方、フォームシート１に対しては、永久的ではない接着作用を果す。
第１図ｂ）は、カード３が分離されたフォームを示す。図から、剥離層２２が支持層２１に残っており、カード３に移らず、従ってカード３は不接着状態であることが明らかである。剥離層も、カード３を取り剥がした後、接着性を失うようにする。
支持層２１には紙又は薄膜材料が使用され、フォームと同様に印刷部分を有する。支持層は透明あるいは半透明であってもよい。半透明の場合、支持層のカード側及びカード裏側は隠れており、カード３が離されてはじめて見えるようになる。
以下の実施例はすべて、上述の基本構造に基づくものであり、そのため基本構造については詳述しない。
第２図の実施例では、裏側の支持材２は、支持層２１及び剥離層２２のほかに、カバー層２３及び永久接触接着層２４を有する。フォームの表側には、支持材２のように矩形片であるカバー材４が設けられ、これもカバー層４１と永久接触接着層４２からなる。表裏のカバー層２３、４１は、カード３の部分でフォームシート１の印刷が見える透明プラスチック薄膜であることが好ましい。カバー層もカード３を補強しており、カードに対し撥水面、耐磨耗面の役割をする。
カバー層２３、４１はプラスチック薄膜でなく、同様な特性を有する硫酸紙などの紙材料から作られていてもよい。表裏のカバー層の少くとも一方に紙材料を使用することにより、それに書き込みが可能になる利点がある。しかし、（例えば、曇らせたり艶消し仕上げにすることにより）滑らかな薄膜面を書き込み可能にする方法も知られている。
特定目的のためにはカバー層２３、４１の一方のみが設けられる場合があることは明らかである。その場合には裏側のカバー層２３が使用される。なぜならこれは支持材２と支持層２１との一部であり、従って、いずれにしろ必要である。
支持材２は予め形成しておき、その後全体としてフォームの裏面に適用することが好ましい。この方が、個別の各層を順次貼り合わせるよりもはるかに経済的である。支持材２は、リール状のエンドレスあるいは連続体として専門の薄膜製造業者あるいは加工業者からフォーム製造業者に供給される。この支持材２における一番上の層２４は永久接触接着層であるから、支持材２が自身で巻回するように特別の方法がとられなければならない。その方法としては、支持層２１に、例えばシリコン（ｓｉｌｉｃｏｎｅ）の適用による裏面の分離層を設けることが考えられ、その適用は第２図の符号２５で示されている。あるいは支持材２にもともと補足的な剥離あるいは分離層を設けるようにしてもよいが、この方法の場合、フォーム製造の際に廃物となる。
第３図は、支持材２の一部の剥離層２２は、第一部分層２２１と第二部分層２２２の二重層からなり、実質的に同様の機能をする。第一部分層２２１は非永久的接触接着剤（カバー層２３に対して）又は剥離剤（剥離剤は特別の非永久的接触接着剤）の役割をし、第二部分層２２２は（支持層２１に対する）永久的接触接着剤の役割をする。
このような二重層からなる第１部分層２２１、第２部分層２２２は第４図の実施例でも使用されている。更に、第二部分層２２２と支持層２１の間に分離層２６即ち支持層２１のシリコン処理層が設けられている。第１部分層２２１及び第２部分層２２２は、分離層２６に対する第二部分層２２２の接着強度を、カバー層２３に対する第１部分層２２１の接着性よりも低いように調整する。従って、カードを取りはがす時、この第１および第２の部分層２２１、２２２は第４図ｂ）に示すようにカード３と共に引離される。かくして、カード３は自己接着性ラベルのように自己接着性があり、別の場所、即ち第４図ｃ）に示すように別の支持体１１に再度接着させることができる。
二重層の第１および第２の部分層２２１、２２２のこのような特性のため、第４図ｄ）に示すように、新しい位置のカード３’を再度引離すことができる。分離コーティングは新しい支持体１１には設けられていないため、第２部分層２２２の接触接着剤の永久的接着作用は、第一部分層２２１とカバー層２３との間の非永久的接着作用よりも強い。かくしてカード３’を第一部分層２２１とカバー層２３の間で引離す分離が行われる。第１および第２の部分層２２１、２２２は、第４図ｄ）に示すように新しい支持体１１上に残される。
第５図の実施例は機能的には第４図のそれに対応するが、第１および第２の部分層２２１、２２２の間に補助支持層２２３が設けられている。補助支持層２２３は、カード３がフォームシート１から分離される時にはカードと共に移動するが（第５図ｂ））、新しい支持体１１に再接着した場合（第５図ｃ））及びこれから離れる時には、新しい支持体１１に戻る（第５図ｄ））。第１および第２の部分層２２１、２２２だけに代って補助支持層２２３を用いることは、製造の観点からは有利である。紙又は薄膜材料を補助支持層２２３として使用することができる。
第６図において、支持材２における第２図の層構造に加えて、自己支持層２７、及び永久接触接着層２８が設けられ、またカバー材４には自己支持層４３及び永久接触接着層４４が加えられている。補足的な自己支持層２７、４３はカード３をより強化するために使われ、フォームシート１と同じ材料でつくることが有利である。これらは第７図に示すように、隣接するウェブに、フォームシートと同じ操作で印刷することができることは当然である。
第７図は穿孔線１３で接続している既に印刷されたフォームシート１の連続ウェブを示す。フォームシート１のウェブ１２の横には隣接するウェブ１４が接続しており、一緒に印刷される。このウェブ１４は矢印１７で示す位置でウェブ１２と分離し、リール１５に巻回される。ウェブ１２は別のリール１６に巻回される。一般的にはウェブ１４の隣のウェブ１２における個々のフォームシート１に対して、支持材２及びカバー材に必要なサイズの、二つの印刷刷りあるいはインプリントがされる。これらの一つは符号１８で示される。カード部分におけるフォームシート１上の対応する印刷部分は符号１９で示される。
第８図は、第２図のそれに類似する支持材２を使用するが、第１、３図あるいは第６図の支持材も使用してよい。フォーム表面のカバー材４には、カバー層４１と永久接触接着層４２の間に分離層あるいはレリーフ層４５が設けられている。従って、第８図ｃ）に示すようにカード３を取った後、カバー層４１をその分離層４５と共に取り除くことができ、接触接着層４２が露出する。カード３’は自己接着性があり、第８図ｄ）に示すように、ガラス板１７に接着する。
第９図でも第２図の支持材２が使用されているが、第１、３図又は第６図の支持材を使用することもできる。変更は今回もフォーム上にあり、第２〜５図のカバー材４であって、カバー層４１及び永久接触接着層４２を含むカバー材４の下に、紙又は薄膜の支持層５１及び分離コート層５２からなる別の材料層５が、永久接触接着層４２の方に挿入されており、これを便宜的に以後は分離紙と呼ぶ。カバー材４は分離紙５の両側に突出しており、生ずる縁部分４６、４７で、フォームシート１上にカバー材４が永久接着している。説明のためにこれら縁部分４６、４７における永久接触接着層４２の厚さは誇張されているが、実際は均一であり、カバー材４を分離紙５にあわせるようにしてある。標準的な層厚の場合、これは殆ど無視しうる。
製造されるカード３の穴あけは、穴あけ線３１が限界域４６中にあるようにして行われ、他方の穴あけ線３２は分離紙５に直行している。残る二本の穴あけ線３３、３４は、カバー材４と分離紙５とが重なる部分にある。第９図ｃ）は、個々の層の相対的な関係及び穴あけ線で囲まれるカード３の位置を図式的に示す平面図である。第９図は、説明のため、支持材２、カバー層４及び分離紙５の大きさが実際とは異なる大きさで示されている。支持材２、カバー層４及び分離紙５の各層は、穴あけ線３１，３２の方向に同じ長さをもつものであってもよい。穴あけ線３３、３４の方向に向かって支持材２はカバー材４と同じ寸法であってもあるいはこれより小さくてもよい。
第９図において、カード３が分離された後は、分離紙５が用いられているため、カバー材４は第９図ｄ）に示すように、その一方を曲げることによりもちあげられ、縁部分４８のみで強く接着している。第９図ｄ）からわかるように十分な固有強度をもっているため、分離紙５はカバー材４から曲げられた縁部分で離れ、そのためこの位置で容易につかむことができ、次いで第９図ｅ）に示すように除かれる。カバー材４はカード面上の全体に耐久性をもつように合着される。これに対応する構造は第９図ｆ）に示されており、縁部分４８に示す接触接着層の厚さは、ここでも説明のために誇張されている。
第９図の例は、カバー材４のカバー層４１が透明の場合に特に有利である。第９図のカードの場合、カード面に個別に記入することができ、記入は、分離紙５を除去しカバー材４を永久結合した後は、透明のカバー層４１を通して見ることができるが、このカバー層４１により密閉され触ることができない。カード面とカバー材４の間にパスポート写真を合着させることもできる。
本発明によるカードをつくるための穴あけは全周的に、即ちブリッジを残すことなく行うことが好ましいが、第９図の例で、即ち第９図ｃ）の符号３５、３６で示す点で、このようなウェブを点状に残しておいて、カバー材４がカード面から早すぎて立ち上がらないように、従って特にレーザープリンターを使用する時などフォーム製造の際に問題が使用じることのないようにしておいてもよい。
第１０図の例は機能的に第９図の例に対応するが、但し分離紙５がカード裏面と支持材２の間に挿入されている。生じたカード３は第９図のそれとは上下対称になっていることは明らかである。
第１１図は第１図の例と同じであるが、支持材２裏面側のカード部分、即ち穴あけ線３１と３２の間の域に補足的な穴あき部分６（窓状又は細長状）が設けられており、ブランク体を取り去ることができる。従って、カード３の裏面はこの窓域で露出しており、例えば印刷できるなどの利点がある。
対応する穴あき部分６は第１２図に示されている。しかし穴あき部分６が、好ましくは薄膜であるカバー層２３の面に露出している。フォームシート１のカード裏面に印刷あるいは記入ができるようにするためには、この窓状部分をつや消し仕上げ７にしてもよい。
第１３図は半円状穴あき部分８を示す平面図である。その穴あき部分は穴あけ線３１であり、残る穴あけ線３２〜３４と同じ深さである。生じる空白部分８１の層構造はカード３と一致しており、空白部分８１がフォームシート１から除去されると、カード３をとりだす際の助けになる。
支持材２に関し、図２の説明のように、専門の製造業者により連続体の形で製造され、フォーム製造業者により所定の形に切断し、好ましくは再び連続処理によりフォームシート１に適用することが好ましい。このことは支持材の改良形やカバー材４についても当てはまることは明らかである。
【図１】
0003822234.tif 000002
【図２】
0003822234.tif 000003
【図３】
0003822234.tif 000004
【図４】
0003822234.tif 000005
【図５】
0003822234.tif 000006
【図６】
0003822234.tif 000007
【図７】
0003822234.tif 000008
【図１３】
0003822234.tif 000009
【図８】
0003822234.tif 000010
【図９】
0003822234.tif 000011
0003822234.tif 000012
【図１０】
0003822234.tif 000013
【図１１】
0003822234.tif 000014
【図１２】
0003822234.tif 000015